(57)【要約】【課題】画像読取部と画像形成部とを有する複合型画像形成装置（ＭＦＰ）を用い、ＭＦＰの近傍から移動することなく、画像の検索及びプリントが行える画像検索システム等を提供する。【解決手段】画像読取部２１０で原稿を読み取って得た画像データを操作パネル１９０の液晶パネルに表示する。利用者は表示された画像から注目部分を選択することができる。注目部分の画像データ等をインターネット１００を介して送信し、送信された画像データから算出された特徴量を用いて画像データベースから画像の検索を行う。検索された画像のサムネイル画像等を画像形成部２２０等により一覧出力し、利用者はフルバージョンの画像をプリントしたい画像を選択する。【選択図】          図２
2004185071.tif 000002
【特許請求の範囲】
【請求項１】
画像読取部及び画像形成部を有する複合型画像形成装置と、画像データベースを含む情報処理装置とがネットワークを介して接続されてなる画像検索システムにおいて、
前記画像読取部に原稿画像を読み取らせて生成した原稿画像データから特徴量を取得する特徴量取得手段と、
取得された特徴量に基づいて、前記画像データベースから画像を検索する検索手段と、
前記検索手段による検索の結果として得られた画像を一覧出力する検索結果一覧出力手段と、
前記一覧出力された画像の中から、利用者により選択された画像を判別する選択画像判別手段とを備え、
前記検索結果一覧出力手段及び前記選択画像判別手段は、前記複合型画像形成装置に設けられる
ことを特徴とする画像検索システム。
【請求項２】
前記検索結果一覧出力手段は、
前記検索手段による検索の結果として得られた画像のサムネイル画像を、前記画像形成部に一覧プリントさせ、
前記選択画像判別手段は、
前記画像読取部に、前記一覧プリントさせたシートを読み取らせて生成した画像データから、一覧プリントされたサムネイル画像の中から選択された画像を判別する
ことを特徴とする請求項１に記載の画像検索システム。
【請求項３】
前記複合型画像形成装置は、
表示手段と、
前記原稿画像データを、選択可能な区分に分けて、前記表示手段に表示させる区分表示手段と、
前記表示手段に表示された区分について、利用者からの選択入力を受け付ける選択入力受付手段と、
利用者により選択された区分に対応する部分の原稿画像データを前記情報処理装置に送信する送信手段とを備える
ことを特徴とする請求項１又は２に記載の画像検索システム。
【請求項４】
画像読取部、画像形成部及び表示部を有する複合型画像形成装置において、
前記画像読取部に原稿画像を読み取らせて生成した原稿画像データを、選択可能な区分に分けて、前記表示手段に表示させる区分表示手段と、
前記表示手段に表示された区分について、利用者からの選択入力を受け付ける選択入力受付手段と、
利用者により選択された区分に対応する部分の原稿画像データを外部に送信する送信手段とを備える
ことを特徴とする複合型画像形成装置。
【請求項５】
前記区分表示手段は、
生成された原稿画像データを縦３区画、横３区画の９個の矩形の区分に区分けして前記表示手段に表示させ、
前記選択入力受付手段は、
１から９までの数字が縦３個、横３個に並べられた数字キーを介して区分の選択入力を受け付ける
ことを特徴とする請求項４に記載の複合型画像形成装置。
【発明の詳細な説明】
【０００１】
【発明の属する技術分野】
本発明は、画像検索システム及び複合型画像形成装置に関する。
【０００２】
【従来の技術】
近年、画像データから特徴量を算出し、当該特徴量に基づいて画像データベースから類似画像の検索を行う画像検索システムが検討されている（例えば特許文献１参照）。
【０００３】
【特許文献１】
特開２０００−９０１０１号公報
【０００４】
【特許文献２】
特開平１０−１８７７５７号公報
【０００５】
【発明が解決しようとする課題】
しかしながら、従来の画像検索システムは、例えば端末装置で検索キーとする画像を指定して、ネットワークを介して接続された画像データベースから類似画像を検索したとしても、検索された結果の中から、さらに選択した画像をプリントし、結果を得るためにはプリンタの位置まで移動しなければならないという問題点があった。
【０００６】
本発明は、上記のような問題点に鑑みてなされたものであって、端末装置を用いることなく、画像形成装置のみで画像検索、及びプリントを行うことが可能な画像検索システム及び複合型画像形成装置を提供することを目的としている。
【０００７】
【課題を解決するための手段】
上記目的を達成するために、本発明に係る画像検索システムは、画像読取部及び画像形成部を有する複合型画像形成装置と、画像データベースを含む情報処理装置とがネットワークを介して接続されてなる画像検索システムにおいて、前記画像読取部に原稿画像を読み取らせて生成した原稿画像データから特徴量を取得する特徴量取得手段と、取得された特徴量に基づいて、前記画像データベースから画像を検索する検索手段と、前記検索手段による検索の結果として得られた画像を一覧出力する検索結果一覧出力手段と、前記一覧出力された画像の中から、利用者により選択された画像を判別する選択画像判別手段とを備え、前記検索結果一覧出力手段及び前記選択画像判別手段は、前記複合型画像形成装置に設けられることを特徴としている。
【０００８】
この構成では、検索キー用画像を画像読取部で読み取らせ、画像の検索結果の一覧出力を得て、当該一覧から選択した画像をプリントするまでの一連の処理を、複合型画像形成装置の近傍を離れることなく行うことができる。なお、特徴量の取得は画像形成装置側で行うことも可能であるが、画像形成装置の製造コスト等を考慮すると、画像データベースの側で行うことが好ましい。特徴量の取得や、特徴量を利用した画像の検索には、種々公知の技術が利用できる。
【０００９】
「原稿画像を読み取らせて生成した原稿画像データ」には、原稿画像全体のデータだけでなく、通信量なども考慮して必要に応じて間引きや解像度変更した画像データ、サムネイル画像、画像データの一部など、原稿を読み取った結果として生成される原稿画像データであって、画像検索のキーとして用いることが可能な画像データ全てを含む趣旨である。「一覧出力」には、画像形成部による一覧プリントや、液晶パネル等の表示手段への一覧表示などが含まれる。「一覧」といっても一画面や記録シート一枚への出力に限定されることはない。
【００１０】
なお、具体的には例えば、前記検索結果一覧出力手段は、前記検索手段による検索の結果として得られた画像のサムネイル画像を、前記画像形成部に一覧プリントさせ、前記選択画像判別手段は、前記画像読取部に、前記一覧プリントさせたシートを読み取らせて生成した画像データから、一覧プリントされたサムネイル画像の中から選択された画像を判別することができる。サムネイル画像は、画像データベースに含めておくこともできるし、複合型画像形成装置や、情報処理装置で適宜生成することも可能である。利用者は、一覧プリントされたシート上にて、例えば選択する画像の近傍に印をつけたり、マークを塗りつぶしたりすることができる。このように印をつけられたシートを再度読み取ることにより、利用者がフルバージョンの画像をプリントしたい画像を選択することができる。
【００１１】
なお、前記複合型画像形成装置は、表示手段と、前記原稿画像データを、選択可能な区分に分けて、前記表示手段に表示させる区分表示手段と、前記表示手段に表示された区分について、利用者からの選択入力を受け付ける選択入力受付手段と、利用者により選択された区分に対応する部分の原稿画像データを前記情報処理装置に送信する送信手段とを備えることができる。この構成を備えると、例えば雑誌の記事など、ページの一部を検索キーとして画像検索を行うような場合でも、原稿を切り取ったりする必要がなく、効率的な画像検索が行える。表示手段としては、例えば一般的な複合型画像形成装置に設けられている液晶パネルなどを用いることができるが、これに限定されるわけではない。
【００１２】
また、本発明の複合型画像形成装置は、画像読取部、画像形成部及び表示部を有する複合型画像形成装置において、前記画像読取部に原稿画像を読み取らせて生成した原稿画像データを、選択可能な区分に分けて、前記表示手段に表示させる区分表示手段と、前記表示手段に表示された区分について、利用者からの選択入力を受け付ける選択入力受付手段と、利用者により選択された区分に対応する部分の原稿画像データを外部に送信する送信手段とを備えることを特徴としている。
【００１３】
前記区分表示手段は、生成された原稿画像データを縦３区画、横３区画の９個の矩形の区分に区分けして前記表示手段に表示させ、前記選択入力受付手段は、１から９までの数字が縦３個、横３個に並べられた数字キーを介して区分の選択入力を受け付けることができる。もっとも、選択入力の方法は数字キーだけでなく、液晶パネル上で指定することもできるし、区分表示の方法も、例えば文字部分と図形部分とを区分けしたり、原稿画像データからエッジを抽出して表示するなど、種々の方法が考えられる。
【００１４】
【発明の実施の形態】
以下、本発明に係る画像検索システム等の実施の形態について、図面を参照しながら説明する。
（１）画像検索システムの全体構成
図１は、本発明の実施の形態に係る画像検索システムの全体構成を示す図である。同図に示されるように、画像検索システムは、画像読取部２１０及び画像形成部２２０を含む複合型画像形成装置（以下、「ＭＦＰ」という。）２００及び画像データベース３１０を含む情報処理装置３００が、インターネット１００を介して接続されて構成されている。
【００１５】
本実施の形態の画像検索システムでは、ＭＦＰ２００側の画像読取部２１０で原稿画像を読み取る。ＭＦＰ２００のより詳細な構成については後述するが、本実施の形態では、原稿画像を読み取って得た画像データを一旦、液晶パネル等の表示装置に表示する。表示された画像は、例えば縦３区画、横３区画に区分けされており、例えばテンキーを利用して、どの部分に注目するかの指定を行うことができる。
【００１６】
その後、選択された部分の画像データを切り出して、インターネット１００を介して情報処理装置３００へと送信する。このとき、選択された部分だけでなく、原稿画像全体の画像データ、あるいは全体のサムネイル画像を検索用に送信するようにしてもよい。また、情報処理装置３００としては、例えばパーソナルコンピュータ（ＰＣ）を用いることができるが、特に限定されないことは勿論である。情報処理装置３００では、送信されてきた画像データから当該画像データの特徴量を求め、求められた特徴量を用いて画像データベース３１０からの画像の検索を行う。特徴量を用いた画像の検索には、例えば特開２０００−４８１８１号公報、特開平１１−２５０２６６号公報、特開平１１−８５９８２号公報等に記載の各種従来技術を用いることができる。また、検索に用いる特徴量としては、例えば、特開平１１−６６３１０号公報、特開平１１−９６３６８号公報、特開平１１−９６３６９号公報等に記載のものが考えられる。
【００１７】
画像データベース３１０からの画像の検索の後、検索された画像の識別子及びサムネイル画像がＭＦＰ２００に送信される。ＭＦＰ２００では、送信されてきたサムネイル画像と識別子を液晶パネルに一覧表示したり、あるいは画像形成部２２０を動作させて記録シートに一覧印刷して出力することができる。
利用者は、液晶パネル上で実際にフルバージョンの画像（以下、「フル画像」という。）をプリントしたいものを選択したり、サムネイル画像が一覧印刷された記録シートの所定の位置に、選択する旨を示す印を記入して再度ＭＦＰ２００の画像読取部２１０で読み取らせること等により、フル画像をプリントさせたい画像を選択する。選択された画像の識別子が情報処理装置３００に送信され、再度画像データベース３１０から検索され、フル画像がＭＦＰ２００の画像形成部２２０でプリントされる。
【００１８】
（２）ＭＦＰ２００の構成
図２は、本実施の形態のＭＦＰ２００の構成を示す機能ブロック図である。ＭＦＰ２００は、画像読取部２１０、画像形成部２２０に加えて、通信          ＩＦ（インタフェース）部２９０、操作パネル１９０及び制御部４００を備えている。制御部４００には、読取モード切替部４０１、画像データ生成部４０２、画像データ解析部４０３、送信データ生成部４０４、送信制御部４０５、注目部分選択部４０６、検索結果解析部４０７、画像一覧生成部４０８が含まれる。読取モード切替部４０１は操作パネル１９０を介して利用者から入力される読取モードの切り替え処理を行う。本実施の形態では、読取モードとして、通常モード、原稿読取モード、選択シート読取モードの三つのモードがある。
【００１９】
図３は、本実施の形態の操作パネル１９０の外観の一例を示す図である。操作パネル１９０は、ＭＦＰ２００上の、利用者から見えやすい位置に配置されており、利用者はこれを用いてコピー枚数、ＦＡＸ番号その他の入力を行うことができる。
なお、図３に示されるように、操作パネル１９０には、テンキー１９１、ストップキー１９２、リセットキー１９３、スタートキー１９４、コピーモード／ＦＡＸモード選択キー１９５、読取モード切替キー１９６、液晶パネル１９９が設けられている。
【００２０】
ストップキー１９２はＭＦＰ２００の動作を中止するキーであり、リセットキー１９３は、液晶パネル１９９の表示やコピー枚数等の置数を初期値に戻すキーである。スタートキー１９４は、原稿画像の読取開始等を指示する際に用いることができる。コピーモード／ＦＡＸモード選択キー１９５は、コピーモードとＦＡＸモードのいずれを選択するかを指定するキーであり、当該モード選択により液晶パネル１９９の表示内容が変更される。読取モード切替キー１９６は、読取モードの切り替えを行う場合に押下するキーである。
【００２１】
同図において液晶パネル１９９に表示されている画面は、読取モード切替キー１９６が押下された場合に表示される画面の例であり、この画面から利用者は、上記三つの読取モードのいずれかを選択することができる。
なお、「通常モード」とは、本実施の形態の画像検索システムとは関係なく、通常の複写動作や画像読取動作を行うモードである。「原稿読取モード」とは、本実施の形態の画像検索システムを利用するために、検索キー用の画像としたい対象が含まれている原稿を読み取るモードである。このモードで原稿を読み取って得た画像データの全部及び／又は一部、あるいは対応するサムネイル画像などが、検索キー用画像としてインターネット１００を介して情報処理装置３００に送信される。「選択シート読取モード」とは、例えばサムネイル画像が一覧プリントされた記録シートであって、利用者により、フル画像のプリントを行う画像を選択するための印（以下、「選択印」という。）が付されているものを読み取り、フル画像のプリントのための画像の選択を受け付けるモードである。
【００２２】
画像データ生成部４０２は、画像読取部２１０にて読み取られた原稿から画像データを生成し、画像データ解析部４０３は、選択された読取モードに応じて画像データの解析を行う。具体的には、選択シート読取モードであれば選択印を読み取ったり、原稿読取モードであれば液晶パネル１９９に画像を表示すべく注目部分選択部４０６に送ったり、あるいは原稿画像のサムネイル画像を生成する、というような処理を行う。
【００２３】
送信データ生成部４０４は、画像データ解析部４０３や注目部分選択部４０６から送られてきた画像データ等から、実際に情報処理装置３００に対して送信するデータを生成する。送信データ生成部４０４にて生成されたデータが送信制御部４０５、通信ＩＦ部２９０を介して送信される。
注目部分選択部４０６は、原稿読取モードにおいて原稿を読み取って生成された画像データを、画像データ解析部４０３から取得して、操作パネル１９０の液晶パネル１９９に表示させたり、液晶パネル１９９からの利用者の入力を受け付け、利用者により選択された注目部分を送信データ生成部４０４に送る。
【００２４】
検索結果解析部４０７は、画像データベース３１０を検索して情報処理装置３００から送信されてきた検索結果の内容を解析する。送信されてきた画像データがサムネイル画像であれば、画像一覧生成部４０８を介して、画像形成部２２０に送り、検索結果のサムネイル画像の一覧プリントを出力させる。送信されてきた画像データがフル画像であれば、そのまま画像形成部２２０に送り、プリント処理に供する。
【００２５】
（３）ＭＦＰの処理内容（原稿読取モード）
次に本実施の形態のＭＦＰ２００の処理内容について説明する。図４は、原稿読取モードが指定されたときのＭＦＰ２００の処理内容の一例を示すフローチャートである。同図は、図３の画面において「原稿読取モード」が選択された場合の処理内容を示すフローチャートである。原稿読取モード処理では、原稿読取部により原稿が読み取られるのを待って（Ｓ１０１：Ｙｅｓ）、原稿画像データを生成する（Ｓ１０２）。これらの処理は通常モードでも同様に実行される処理である。
【００２６】
本実施の形態では、次に、液晶パネル１９９に画像を表示する（Ｓ１０３）。読取モードが原稿読取モードである場合は、生成された画像データの全部、若しくは画像データ解析部にて間引き処理を行った画像データが注目画像選択部４０６に送られ、液晶パネル１９９に表示される。液晶パネル１９９に表示する場合には、例えば図５に示すように、罫線を表示して、画像を縦３区画、横３区画に区分けする。このように区分けするのは、区分けされた区分のいずれかを選択するのに、テンキーを用いることができ、利用者にとって便宜だからである。即ち、例えば７番のキーが押下された場合には、星の部分の画像が注目部分として選択されることとなる。
【００２７】
もっとも、画像の区分けの方法は、縦３区画、横３区画の区分けに限定されず、例えば縦２区画、横２区画でもよいし（区画の数は任意）、利用者による選択もテンキーによるものだけでなく、液晶パネル１９９に触れることで選択させるようにしてもよい。また、文字部分と画像部分とで区分けしたり、画像部分であっても、エッジ検出処理などを行って液晶パネル１９９にエッジを表示させ（エッジの表示も「区分け」の概念に含まれる。）、注目部分のパネル上の位置の指定を受け付けることで、例えば画像部分に含まれている特定の物体（りんご、カメラ等）を選択させるようにすることもできる。
【００２８】
次に、注目部分選択部４０６が選択された部分の画像データを切り出し（Ｓ１０５）、検索キー用の画像データとして、送信データ生成部４０４等を介して、画像データベース３００に送信する（Ｓ１０６）。なお、送信データ生成部４０４は、注目部分の画像データのみを送信することもできるし、原稿全体の画像データ、あるいは原稿全体のサムネイル画像を送信することもできる。
【００２９】
（４）情報処理装置３００における処理内容（サムネイル画像の送信）
次に情報処理装置３００における処理内容について説明する。情報処理装置３００は、例えばパーソナルコンピュータ（ＰＣ）を用いることができ、画像データベース３１０は、物理的には、ハード・ディスク・ドライブ（ＨＤＤ）等の比較的容量の大きい記憶装置に格納することができる。情報処理装置３００は、画像データベース３１０からの画像検索処理や、インターネット１００を介する送受信を行うことができる。これらの点については既に周知の技術であるから、ここでの詳細な説明は省略する。
【００３０】
図６は、情報処理装置３００での処理内容を示すフローチャートである。同図に示されるように、情報処理装置３００では、ＭＦＰ２００から送信されてきた検索キー用画像データを受信すると（Ｓ２０１：Ｙｅｓ）、検索キー用画像データの特徴量を算出する（Ｓ２０２）。特徴量の算出については、既に述べている通り従来の技術を利用可能であるので、ここでの説明は省略する。本実施の形態では、画像データベース３１０中の画像データは、サムネイル画像や、予め算出された特徴量とともに管理されており、算出された検索キー用画像の特徴量を用いて類似画像の検索を行う（Ｓ２０３）。最後に、検索された画像のサムネイル画像を、画像の識別子とともにＭＦＰ２００に対して送信する（Ｓ２０４）。
【００３１】
なお、ここで、例えば検索された画像の枚数が所定枚数より多い場合（例えば２００枚を超えるなど）には、サムネイル画像を送信せず、例えば「画像枚数が多すぎる」旨を示すメッセージを送信するようにしてもよい。サムネイル画像とともに、特徴量の類似度を表す数値などを送信するようにしてもよい。このような数値を受信したＭＦＰ２００の側では、類似度の高いと思われる画像を、一覧プリントの先頭に近い方に配置してプリントする等の処理を行うことができる。
【００３２】
また、注目部分の画像データと画像データ全体とを、ともに情報処理装置３００に送信するようにすれば、注目部分の画像から検索された画像を優先的に（例えば一覧中の順序を先にする、大きくプリントする、等の処理が可能である。）一覧プリントすることもできる。サムネイル画像を受信したＭＦＰ２００の詳細な処理内容については説明を省略するが、画像形成部２２０によりサムネイル画像を一覧プリントさせるほか、前記したように液晶パネル１９９にサムネイル画像や識別子を一覧表示するようにしてもよい。
【００３３】
（５）ＭＦＰ２００の処理内容（選択シート読取モード）
次に本実施の形態のＭＦＰ２００において、「選択シート読取モード」が選択された場合の処理内容について説明する。図７は、選択シート読取モードが指定されたときのＭＦＰ２００の処理内容の一例を示すフローチャートである。選択シート読取モード処理では、画像読取部２１０により選択シート（本実施の形態ではサムネイル画像及び識別子が一覧プリントされた記録シート）が読み取られるのを待って（Ｓ３０１：Ｙｅｓ）、読み取られた選択シートの画像データを生成する（Ｓ３０２）。これらの処理は通常モード、原稿読取モードでも同様に実行される処理である。
【００３４】
本実施の形態では、次に、選択印を検出する（Ｓ３０３）。選択印は、例えばサムネイル画像ごとの近傍に設けられたマーク欄を塗りつぶしたものであったり、チェック印、丸印であったりするが、検出可能なものであれば任意の印を用いることが可能である。さらに、ＭＦＰ２００は、選択されたサムネイル画像の近傍に記載されている画像の識別子を取得し、フル画像をプリントすべき画像の識別子として情報処理装置３００に送信する（Ｓ３０４）。以上のような処理は、画像データ解析部４０３による選択印の検出、識別子の取得、及び送信データ生成部４０４等を介する識別子の送信処理により実現される。情報処理装置３００では、受信した識別子を有する画像のフル画像をＭＦＰ２００に送信する。ＭＦＰ２００では送信されてきたフル画像の画像データを画像形成部２２０にてプリントする。これらの処理については詳細な説明を省略する。
【００３５】
以上のように、本実施の形態の画像検索システム及び複合型画像形成装置により、利用者は画像形成装置の近傍から移動することなく、画像の検索、フル画像のプリントなどを行うことができる。また、液晶パネル１９９に表示する際に、いくつかの区分に区分けしたり、エッジを表示するなどして区分けし、注目部分を選択できるようにすれば、例えば雑誌などのページの一部分を検索キー用画像としたい場合などでも、原稿の切り取りなどを行う必要がない。
【００３６】
なお、本発明の画像検索システムを実現するコンピュータプログラムは、例えば磁気テープ、フレキシブルディスク等の磁気ディスク、ＤＶＤ、ＣＤ−ＲＯＭ、ＣＤ−Ｒ、ＭＯ、ＰＤなどの光記録媒体、Ｓｍａｒｔ  Ｍｅｄｉａ（登録商標）、ＣＯＭＰＡＣＴＦＬＡＳＨ（登録商標）などのフラッシュメモリ系記録媒体等、コンピュータ読み取り可能な各種記録媒体に記録することが可能であり、当該記録媒体の形態で生産、譲渡等がなされる場合もあるし、プログラムの形態で、インターネットを含む有線、無線の各種ネットワーク、放送、電気通信回線、衛星通信等を介して伝送、供給される場合もある。
【００３７】
また、本発明に係るコンピュータプログラムは、上記に説明した処理をコンピュータに実行させるための全てのモジュールを含んでいる必要はなく、例えば通信プログラムや、オペレーティングシステム（ＯＳ）に含まれるプログラムなど、別途情報処理装置にインストールすることができる各種汎用的なプログラムを利用して、本発明の各処理をコンピュータに実行させるようにしてもよい。従って、上記した本発明の記録媒体に必ずしも前記全てのモジュールを記録している必要はないし、また、必ずしも全てのモジュールを伝送する必要もない。さらに所定の処理を専用ハードウェアを利用して実行させるようにすることができる場合もある。
【００３８】
＜変形例＞
以上、本発明を種々の実施の形態に基づいて説明してきたが、本発明の内容が、上記実施の形態に示された具体例に限定されないことは勿論であり、例えば、以下のような変形例を考えることができる。
（１）即ち、上記実施の形態では、画像検索の結果として得られた画像のサムネイル画像をＭＦＰ２００側で受信し、一覧プリントするようにしたが、画像の識別子や簡単な説明などを一覧プリントするようにしてもよいし、サムネイル画像や画像の識別子などを液晶パネル１９９に表示して、利用者に選択させるようにしてもよい。
【００３９】
（２）また、上記実施の形態では、ＭＦＰ２００から情報処理装置３００に対して注目部分の画像データを送信するようにしたが、例えば原稿画像全体の画像データと、当該画像全体の中で注目部分の位置を表す情報（注目部分の座標など）を合わせて送信するようにしてもよい。
（３）上記実施の形態では、検索キー用画像データとして原稿画像のサムネイル画像を送信する場合に、画像データ解析部４０３において原稿画像から生成された原稿画像データをサムネイル画像に変換する旨説明したが、画像読取部２１０のスキャナで読み取る際に解像度を変更することでサムネイル画像を生成するようにしてもよい。
【００４０】
【発明の効果】
以上のように、本発明に係る画像検索システム等によれば、画像検索のキーとして用いる原稿画像を読み取る画像読取部、検索結果として得られた画像を一覧出力する一覧出力手段、検索結果から利用者により選択された画像を判別する判別手段を、複合型画像形成装置に設けていることから、利用者は画像形成装置の近傍から移動することなく、簡単に画像の検索、プリントを行うことができるという効果がある。
【図面の簡単な説明】
【図１】本発明の実施の形態に係る画像検索システムの全体構成を示す図である。
【図２】本発明の実施の形態のＭＦＰ２００の構成を示す機能ブロック図である。
【図３】本発明の実施の形態の操作パネル１９０の外観の一例を示す図である。
【図４】原稿読取モードが指定されたときのＭＦＰ２００の処理内容の一例を示すフローチャートである。
【図５】原稿読取モードにおいて、液晶パネル１９９に表示される画面の一例を示す図である。
【図６】情報処理装置３００での検索処理の内容の一例を示すフローチャートである。
【図７】選択シート読取モードが指定されたときのＭＦＰ２００の処理内容の一例を示すフローチャートである。
【符号の説明】
１００                インターネット
１９０                操作パネル
１９６                読取モード切替キー
１９９                液晶パネル
２００                ＭＦＰ
２１０                画像読取部
２２０                画像形成部
３００                情報処理装置
３１０                画像データベース
４００                制御部
【図１】
2004185071.tif 000003
【図２】
2004185071.tif 000004
【図３】
2004185071.tif 000005
【図４】
2004185071.tif 000006
【図５】
2004185071.tif 000007
【図６】
2004185071.tif 000008
【図７】
2004185071.tif 000009